(57)【特許請求の範囲】
【請求項１】
端壁に音響取込み部が形成されたホルダの内部に対して、端壁に音孔が形成されたマイクロホンユニットを収納し、この音孔を覆う位置にフィルタを配置してあるコンデンサマイクロホンであって、
前記音響取込み部が、前記ホルダの端壁に一体化した前記フィルタを備えて構成されると共に、前記ホルダが樹脂の型成形によって製造され、前記フィルタとして、繊維の間に空気の流通を許容する空間が形成された素材を用いており、このフィルタをホルダの成形時にインサートすることによってホルダと一体化してあるコンデンサマイクロホン。
【請求項２】
前記ホルダが、前記フィルタを備えた前ホルダと、この前ホルダに対して嵌合連結及び分離自在な後ホルダとで構成されると共に、この前ホルダと後ホルダとで形成される空間に前記マイクロホンユニットを収納している請求項１記載のコンデンサマイクロホン。
【請求項３】
前記マイクロホンユニットの後面に電極パターンが形成され、この電極パターンに接触して信号を取り出す端子を前記後ホルダに備えている請求項２記載のコンデンサマイクロホン。
【発明の詳細な説明】
【０００１】
【発明の属する技術分野】
本発明は、端壁に音響取込み部が形成されたホルダの内部に対して、端壁に音孔が形成されたマイクロホンユニットを収納し、この音孔を覆う位置にフィルタを配置してあるコンデンサマイクロホンに関する。
【０００２】
【従来の技術】
上記のように構成されたコンデンサマイクロホンとして特開平１１‐５５７９５号公報に示されるものが存在し、このコンデンサマイクロホンは、端壁に音孔が形成されたアルミニウム材製の筒状カプセルの内部にエレクトレット振動膜、背極、絶縁基板、インピーダンス変換素子等を収納してマイクロホンユニットを構成し、この筒状カプセルの音孔を覆うよう筒状カプセルの端壁の全面に防塵膜（フィルタ）を配置し、又、端壁に開口が形成されたケース（ホルダ）を合成樹脂材によって構成し、このケースに筒状カプセルを内蔵して構成されている。
【０００３】
【発明が解決しようとする課題】
従来の技術として挙げたコンデンサマイクロホンは、防塵膜を筒状カプセルの端壁の外面の全面を覆う位置に配置するので、筒状カプセルをケースに収納した状態では筒状カプセルの端壁の外面と、ケースの端壁の内面とで防塵膜の外周部を挟込む形態となり、筒状カプセルの端壁の前面がケース端壁の内面から防塵膜の厚みだけ離間するものとなる。このような理由から、従来の技術ではケースの端壁の内面と筒状カプセルの端壁の外面との間に防塵膜を配置するためのスペースを必要とし、夫々の端壁と直交する方向での寸法の拡大を招いてマイクロホンの小型化を阻害していた。
【０００４】
そこで、薄い防塵膜を用いてマイクロホンの小型化を図ることも考えられるが、防塵膜は、不織布のように空気の流通を許す空間を介して音の伝搬を可能にしながら塵埃や水滴の侵入を阻止する目的で備えられるので、あまりに薄い素材を用いることは防塵、防滴、あるいは、音響性能を低下させるものとなり好ましくなかった。
【０００５】
本発明の目的は、ホルダにマイクロホンユニットを収納した構造のコンデンサマイクロホンを、フィルタの性能を低下させること無く小型化する点にある。
【０００６】
【課題を解決するための手段】
本発明の請求項１に係るコンデンサマイクロホンの特徴、作用・効果は次の通りである。
〔特徴〕
端壁に音響取込み部が形成されたホルダの内部に対して、端壁に音孔が形成されたマイクロホンユニットを収納し、この音孔を覆う位置にフィルタを配置してあるコンデンサマイクロホンにおいて、前記音響取込み部が、前記ホルダの端壁に一体化した前記フィルタを備えて構成されると共に、前記ホルダが樹脂の型成形によって製造され、前記フィルタとして、繊維の間に空気の流通を許容する空間が形成された素材を用いており、このフィルタをホルダの成形時にインサートすることによってホルダと一体化してある点にある。
【０００７】
〔作用・効果〕
上記特徴によると、フィルタをホルダに一体化しているので、ホルダの内部にマイクロホンユニットを収納する際にもフィルタを取り付ける手間を必要とせず、布のように安価で入手容易な素材でフィルタとして用いることも可能となる。その結果、フィルタの性能を低下させず、低廉化も可能な小型のコンデンサマイクロホンが構成された。
【０００８】
本発明の請求項２に係るコンデンサマイクロホンの特徴、作用・効果は次の通りである。
〔特徴〕
請求項１のコンデンサマイクロホンにおいて、前記ホルダが、前記フィルタを備えた前ホルダと、この前ホルダに対して嵌合連結及び分離自在な後ホルダとで構成されると共に、この前ホルダと後ホルダとで形成される空間に前記マイクロホンユニットを収納している点にある。
【０００９】
〔作用・効果〕
上記特徴によると、前ホルダと後ホルダとにマイクロホンユニットを挟み込む形態で収納し、前ホルダと後ホルダとを嵌合連結することによりマイクロホンを組立て得る。
【００１０】
本発明の請求項３に係るコンデンサマイクロホンの特徴、作用・効果は次の通りである。
〔特徴〕
請求項２のコンデンサマイクロホンにおいて、前記マイクロホンユニットの後面に電極パターンが形成され、この電極パターンに接触して信号を取り出す端子を前記後ホルダに備えている点にある。
【００１１】
〔作用・効果〕
上記特徴によると、前ホルダと後ホルダとを嵌合連結することによりマイクロホンを組立てた状態では後ホルダに備えた端子が、マイクロホンユニットの後面に形成した電極パターンに接触して信号を取出し得るものとなる。
【００１６】
【発明の実施の形態】
以下、本発明の第１の実施の形態を図面に基づいて説明する。
〔第１の実施の形態〕
図１〜図６に示すように、樹脂製のホルダＨの内部に対して、金属製のケース１０を有したマイクロホンユニットＵを密嵌合状態で収納し、このケース１０に形成された音孔１１を覆う位置に防塵、防滴の目的、及び、周波数特性の高域補正、指向性調整、音響抵抗材として使用する目的でフィルタＦを配置してコンデンサマイクロホンが構成されている。このコンデンサマイクロホンは携帯電話やテープレコーダのように小型化を求められる機器に使用されるものである。
【００１７】
前記ホルダＨは、前端壁ＨＡに音響取込み部としての開口１を形成すると共に、後端壁にセンター端子２とサイド端子３とを取付けて構成されている。又、このホルダＨは絶縁性を有し、断面形状が円形のリング状となるよう、スチレンブタジエンゴム（ＳＢＲ）やニトリルゴム（ＮＢＲ）等の素材を型成形して成り、外力が作用した際に弾性変形することによってマイクロホンユニットＵを良好に保護するものとなっている。前記センター端子２、サイド端子３は夫々とも銅合金等の良導体で成る筒状ケース２Ａ、３Ａに対してバネ２Ｂ、３Ｂで突出付勢された良導体で成る導通片２Ｃ、３Ｃを備えて構成されている。
【００１８】
前記マイクロホンユニットＵは、アルミニウム板をプレス加工することによって前端壁１０Ａを有する筒状に成形された前記ケース１０を備えると共に、この前端壁１０Ａに音孔１１を形成してある。そして、このケース１０の内部に電極リング１２、エレクトレット振動板１３、リング状のスペーサ１４、銅や銅合金のように良導体で成る背極１５、絶縁リング１６、ＦＥＴを有したインピーダンス変換素子１７、このインピーダンス素子１７を支持する絶縁基板１８夫々を収納してある。そして、ケース１０の後端側を折り曲げることで絶縁基板１８を固定している。尚、このケース１０は銅合金や銀合金のように加工が容易な良導体を用いて構成することも可能である。
【００１９】
このマイクロホンユニットＵでは、電極リング１２を介した接触構造によってエレクトレット振動板１３とケース１０とが電気的に導通し、背極１５とインピーダンス変換素子１７に突設した電極１７Ａとが接触することによって、これらが電気的に導通するものとなっており、インピーダンス変換素子１７の端子（図示せず）、及び、ケース１０と導通する電極パターンが絶縁基板１８の後面に形成されている。又、この電極パターンは図６に示すように、絶縁基板１８の中心位置のセンターパターン１９と、このセンターパターン１９を中心とするリングパターン２０とで成り、センターパターン１９に対して前記センター端子２の導通片２Ｃが接触導通し、リングパターン２０に対して前記サイド端子３の導通片３Ｃが接触導通する。
【００２０】
前記フィルタＦは、前記ホルダＨの開口１に嵌り込むサイズで、ホルダＨの前端壁ＨＡの厚みと略一致する厚みに成型されると共に、粘着剤（図示せず）でケース１０の前端壁１０Ａに固定されている。つまり、このフィルタＦは繊維の間に空気の流通を許す空間が形成された素材の代表的な素材として不織布や織物としての布を用いてあり、ケース１０の前端壁１０Ａの外面において図３に示す如く音孔１１を除いた部位のリング状の領域Ｅ（図３に破線で取り囲まれた領域）に粘着剤を塗布し、この粘着材の粘着力によって貼り付け固定してある。又、本第１の実施の形態では、フィルタＦをホルダＨの前端壁ＨＡを略一致する厚みの素材を用いているが、本発明は、コンデンサマイクロホンの小型化を可能にするものであれば、このフィルタＦの前面がホルダＨの前端壁ＨＡより少し突出する形態となる程度の厚みの素材の使用を許容するものである。
【００２１】
この構成から、コンデンサマイクロホンを製造する際には、前述のように、ケース１０の内部にエレクトレット振動板１３や背極１５等をセットしてマイクロホンユニットＵを組立てておき、このケース１０の前端壁１０Ａに粘着剤を塗布してフィルタＦを貼り付けて固定する。この後に、ホルダＨの開口１を強制的に拡大してマイクロホンユニットＵをホルダ内に挿入することでコンデンサマイクロホンが完成する。そして、この完成状態では、マイクロホンユニットＵのケース１０の前端壁１０Ａの外面がホルダＨの前端壁ＨＡの内面に密接し、ケース１０の前端壁１０Ａの外面に備えたフィルタＦがホルダＨの開口１に嵌り込み、このフィルタＦの前面の位置はホルダＨの前端壁ＨＡの表面の位置と略一致する。又、このようにマイクロホンユニットＵをホルダ内に挿入した状態では、センターパターン１９に対して前記センター端子２の導通片２Ｃが接触導通し、リングパターン２０に対して前記サイド端子３の導通片３Ｃが接触導通し、センター端子２とサイド端子３とを介して信号を取り出し得るものとなる。
【００２２】
このように構成したので、第１の実施の形態のコンデンサマイクロホンでは、フィルタＦがホルダＨの開口１に嵌り込むことにより、ホルダＨの前端壁ＨＡの厚みと略一致する厚みのフィルタＦの使用を可能にするばかりでなく、従来の技術と比較して、ホルダＨの前端壁ＨＡの内面とマイクロホンユニットＵのケース１０の前端壁１０Ａの外面とを密接させて夫々の端壁ＨＡ、１０Ａと直交する方向で寸法の短縮を可能にして該コンデンサマイクロホンの小型化を可能にしている。しかも、この第１の実施の形態ではフィルタＦを粘着材を用いてケース１０に固定しているので、液状の接着材を用いたもののように毛細管現象で接着剤がフィルタＦの内部に吸収される不都合を回避して、音響性能を低下させることがなく、又、フィルタＦとして安価な布を使用することで低廉化を可能にしている。
【００２３】
以下、本発明の第２の実施の形態を図面に基づいて説明する。
〔第２の実施の形態〕
この第２の実施の形態で第１の実施の形態と同じ機能を有するものには第１の実施の形態と共通する番号、符号を付している。
【００２４】
この第２の実施の形態では、マイクロホンユニットＵの構造は基本的に変わる点が無く、ホルダＨが連結、及び、分離自在な前ホルダ５と後ホルダ６とで構成され、前ホルダ５の前端壁ＨＡと一体的にフィルタＦを備えている点において第１の実施の形態と異なっている。つまり、前ホルダ５の後端と後ホルダ６の前端とに、これらを連結する嵌合連結部を形成して、連結及び分離自在に構成してあり、前記フィルタＦは繊維の間に空気の流通を許す空間が形成された素材の代表的な素材として不織布や織物としての布を用いてあり、該ホルダＨの成型時に、このフィルタＦを前ホルダ５の前端壁ＨＡにインサートすることにより音響取込み部を構成している。
【００２５】
そして、このフィルタＦは前ホルダ５の前端壁ＨＡの厚みと略一致する厚みの素材を用いており、このフィルタＦの前面を前ホルダ５の前端壁ＨＡの前面に略一致させ、フィルタＦの後面を前ホルダ５の前端壁ＨＡの後面と略一致させている。又、本発明は、コンデンサマイクロホンの小型化を促すものであれば、このフィルタＦの前面がホルダＨの前端壁ＨＡより少し突出する形態となる程度の厚みの素材の使用を許容するものである。
【００２６】
この構成から、コンデンサマイクロホンを製造する際には、第１の実施の形態と同様にマイクロホンユニットＵを組立てておき、又、フィルタＦがインサートされた前ホルダ５と、センター端子２とサイド端子３とを備えた後ホルダ６との間にマイクロホンユニットＵを挟み込む形態で収納し、前ホルダ５と後ホルダ６とが嵌合状態にすることでコンデンサマイクロホンが完成する。そして、この完成状態では、マイクロホンユニットＵの前面が前ホルダ５の前端壁ＨＡの内面に密接し、マイクロホンユニットＵの絶縁基板１８のセンターパターン１９、リングパターン２０夫々に対して後ホルダ６のセンター端子２、サイド端子３の導通片２Ｃ、３Ｃが接触導通し、このセンター端子２、サイド端子３を介して信号を取出し得るものとなる。
【００２７】
このように構成したので、この第２の実施の形態のコンデンサマイクロホンでは、フィルタＦを取り付ける手間を解消して組立てを容易にするばかりで無く、ホルダＨの前端壁ＨＡの内面とマイクロホンユニットＵのケース１０の前端壁１０Ａの外面とを密接させて夫々の端壁ＨＡ、１０Ａと直交する方向で寸法の短縮を可能にしてコンデンサマイクロホンの小型化を可能にする。しかも、フィルタＦとして安価な布を使用することで低廉化を可能にしている。
【００２８】
特に、前記第１、第２の実施の形態では、ではエレクトレット振動板を用いていたが、このエレクトレット振動板を用いず、振動板と背極との間に直流バイアス電圧を印加する形式のコンデンサマイクロホンに適用することも可能である。又、本発明は、第１の実施の形態に対応してケース１０の前端壁１０Ａに対してフィルタＦを固定するにあたり、小型のリベット類を用いる等、連結用の部材の使用を妨げるもので無く、第２の実施の形態に対応してフィルタＦの外周に樹脂や金属のリングを予めセットしておき、このリングと一体的に該フィルタＦをホルダＨにインサートすることや、ホルダＨに形成された開口に対してフィルタＦを嵌め込み固定することや、このホルダＨの開口に対してフィルタＦを粘着剤を用いて固定することにより該ホルダＨとフィルタＦとを一体化する形態での実施を妨げるものでもない。
【図面の簡単な説明】
【図１】第１の実施の形態のコンデンサマイクロホンの斜視図
【図２】第１の実施の形態のコンデンサマイクロホンの断面図
【図３】第１の実施の形態のコンデンサマイクロホンの分解斜視図
【図４】第１の実施の形態のコンデンサマイクロホンの平面図
【図５】第１の実施の形態のコンデンサマイクロホンの底面図
【図６】第１の実施の形態の電極パターンを示す図
【図７】第２の実施の形態のコンデンサマイクロホンの断面図
【図８】第２の実施の形態のコンデンサマイクロホンの分解斜視図
【符号の説明】
１              開口
１１            音孔
Ｆ              フィルタ
Ｈ              ホルダ
ＨＡ            端壁
Ｕ              マイクロホンユニット
【図１】
0003609031.tif 000002
【図２】
0003609031.tif 000003
【図３】
0003609031.tif 000004
【図４】
0003609031.tif 000005
【図５】
0003609031.tif 000006
【図６】
0003609031.tif 000007
【図７】
0003609031.tif 000008
【図８】
0003609031.tif 000009